(57)【特許請求の範囲】
【請求項１】
ユーザ機器において実装される装置であって、
無線リンク障害（ＲＬＦ）イベントを検出するための検出回路と、
前記検出回路に結合され、
ターゲットセルからマスタ情報ブロック（ＭＩＢ）を取得し、
前記ＲＬＦイベントの前記検出に基づいて、ターゲットセルの第１のシステム情報（ＳＩ）が前記ユーザ機器において利用可能か否かを判断し、
前記第１のＳＩが利用可能でないと判断される場合、第２のＳＩを有する１または複数のシステム情報ブロック（ＳＩＢ）を取得し、前記第２のＳＩに基づいて無線リソース制御（ＲＲＣ）接続再確立手順を実行し、
前記第１のＳＩが利用可能であると判断される場合、前記第１のＳＩおよび前記ＭＩＢが共通のブロードキャスト制御チャネル（ＢＣＣＨ）変更期間内に受信されたか否かを判断し、
前記第１のＳＩおよび前記ＭＩＢが前記共通のＢＣＣＨ変更期間内に受信されたと判断される場合、前記第１のＳＩに基づいてＲＲＣ接続再確立手順を実行する、
接続回路とを備える、装置。
【請求項２】
前記接続回路は、更に、
前記第１のＳＩおよび前記ＭＩＢが前記共通のＢＣＣＨ変更期間内に受信されなかったと判断される場合、前記第１のＳＩが有効であるか否かを判断し、
前記第１のＳＩが有効であると判断される場合、前記第１のＳＩに基づいて前記ＲＲＣ接続再確立手順を実行し、
前記第１のＳＩが有効でないと判断される場合、前記第２のＳＩを有する１または複数のＳＩＢを取得し、前記第２のＳＩに基づいて前記ＲＲＣ接続再確立手順を実行する、請求項１に記載の装置。
【請求項３】
無線リンク障害（ＲＬＦ）イベントを検出するための検出回路と、
前記検出回路に結合され、
ターゲットセルを選択し、
前記ターゲットセルの第１のシステム情報（ＳＩ）およびブロードキャスト制御チャネル（ＢＣＣＨ）変更期間情報を、サービングセルから取得し、
前記第１のＳＩの取得の時点が現在のＢＣＣＨ期間内であるか否かを判断し、
取得の前記時点が前記現在のＢＣＣＨ期間内であると判断される場合、前記第１のＳＩに基づいて、無線リソース制御（ＲＲＣ）接続再確立手順を実行し、
前記第１のＳＩの取得の前記時点が前記現在のＢＣＣＨ期間内でないと判断される場合、前記第１のＳＩが有効であるか否かを判断し、
前記第１のＳＩが有効であると判断される場合、前記第１のＳＩに基づいて前記ＲＲＣ接続再確立手順を実行し、
前記第１のＳＩが有効でないと判断される場合、前記ターゲットセルの第２のＳＩを取得し、前記第２のＳＩに基づいて前記ＲＲＣ接続再確立手順を実行する、
接続回路とを備える、装置。
【請求項４】
前記接続回路は、前記第１のＳＩおよび前記ＢＣＣＨ変更期間情報を、専用シグナリングにより前記サービングセルから取得する、請求項３に記載の装置。
【請求項５】
前記接続回路は、更に、
第１のシステム情報値タグ（ｓｙｓｔｅｍＩｎｆｏＶａｌｕｅＴａｇ）をシステム情報ブロック１（ＳＩＢ１）から読み取り、
前記第１のｓｙｓｔｅｍＩｎｆｏＶａｌｕｅＴａｇが前記第１のＳＩに関連付けられる第２のｓｙｓｔｅｍＩｎｆｏＶａｌｕｅＴａｇに一致すると判断される場合、前記第１のＳＩが有効であると判断する、請求項２〜４のいずれか一項に記載の装置。
【請求項６】
前記第１のＳＩおよび前記第２のＳＩは、各システム情報ブロックにおいて受信される、請求項１〜５のいずれか１項に記載の装置。
【請求項７】
前記ターゲットセルは、セカンダリセル（ＳＣｅｌｌ）である、請求項１〜５のいずれか１項に記載の装置。
【請求項８】
ブロードキャストシステム情報ブロックメッセージをサービングセルから受信し、
前記第１のＳＩを前記ブロードキャストシステム情報ブロックメッセージから取得する受信回路を更に備える、請求項１〜５のいずれか１項に記載の装置。
【請求項９】
専用無線リソース制御（ＲＲＣ）シグナリングメッセージをサービングセルから受信し、
前記第１のＳＩを前記専用ＲＲＣシグナリングメッセージから取得する受信回路を更に備える、請求項１〜５のいずれか１項に記載の装置。
【請求項１０】
前記ＢＣＣＨ変更期間は、前記ターゲットセルにおけるｅＮＢのページングサイクルの整数倍である、請求項１または２に記載の装置。
【請求項１１】
コンピュータに、
無線リンク障害（ＲＬＦ）イベントを検出する手順と、
ターゲットセルを選択する手順と、
前記ターゲットセルの第１のシステム情報（ＳＩ）およびブロードキャスト制御チャネル（ＢＣＣＨ）変更期間情報を、サービングセルから取得する手順と、
前記第１のＳＩの取得の時点が現在のＢＣＣＨ期間内であるか否かを判断する手順と、
取得の前記時点が前記現在のＢＣＣＨ期間内であると判断される場合、前記第１のＳＩに基づいて、無線リソース制御（ＲＲＣ）接続再確立手順を実行する手順と、
前記第１のＳＩの取得の前記時点が前記現在のＢＣＣＨ期間内でないと判断される場合、前記第１のＳＩが有効であるか否かを判断する手順と、
前記第１のＳＩが有効であると判断される場合、前記第１のＳＩに基づいて前記ＲＲＣ接続再確立手順を実行する手順と、
前記第１のＳＩが有効でないと判断される場合、前記ターゲットセルの第２のＳＩを取得し、前記第２のＳＩに基づいて前記ＲＲＣ接続再確立手順を実行する手順とを実行させる、コンピュータプログラム。
【請求項１２】
前記第１のＳＩおよび前記ＢＣＣＨ変更期間情報を前記サービングセルから取得する前記手順は、前記第１のＳＩおよび前記ＢＣＣＨ変更期間情報を専用シグナリングにより前記サービングセルから取得する、請求項１１に記載のコンピュータプログラム。
【請求項１３】
ユーザ機器において実装されるコンピュータに、
無線リンク障害（ＲＬＦ）イベントを検出する手順と、
ターゲットセルからマスタ情報ブロック（ＭＩＢ）を取得する手順と、
前記ＲＬＦイベントの前記検出に基づいて、ターゲットセルの第１のシステム情報（ＳＩ）が前記ユーザ機器において利用可能か否かを判断する手順と、
前記第１のＳＩが利用可能でないと判断される場合、第２のＳＩを有する１または複数のシステム情報ブロック（ＳＩＢ）を取得し、前記第２のＳＩに基づいて無線リソース制御（ＲＲＣ）接続再確立手順を実行する手順と、
前記第１のＳＩが利用可能であると判断される場合、前記第１のＳＩおよび前記ＭＩＢが共通のブロードキャスト制御チャネル（ＢＣＣＨ）変更期間内に受信されたか否かを判断する手順と、
前記第１のＳＩおよび前記ＭＩＢが前記共通のＢＣＣＨ変更期間内に受信されたと判断される場合、前記第１のＳＩに基づいてＲＲＣ接続再確立手順を実行する手順とを実行させる、コンピュータプログラム。
【請求項１４】
前記ターゲットセルは、キャリアアグリゲーションまたはデュアル接続システムにおけるセカンダリセル（ＳＣｅｌｌ）である、請求項１１から１３のいずれか一項に記載のコンピュータプログラム。
【請求項１５】
前記サービングセルは、マスタｅＮＢ（ＭｅＮＢ）である、請求項１１または１２に記載のコンピュータプログラム。
【請求項１６】
前記ＢＣＣＨ変更期間情報は、変更期間係数およびデフォルトのページングサイクルを含み、
前記コンピュータに更に、
前記変更期間係数および前記デフォルトのページングサイクルに基づいて前記現在のＢＣＣＨ期間を判断する手順を実行させる、請求項１１または１２に記載のコンピュータプログラム。
【請求項１７】
前記コンピュータに更に、
前記第１のＳＩに関連付けられた第１のシステム情報値タグが前記ターゲットセルのシステム情報ブロックからの第２のシステム情報値タグに一致する場合に、前記第１のＳＩが有効であると判断する手順を実行させる、請求項１１または１２に記載のコンピュータプログラム。
【請求項１８】
前記現在のＢＣＣＨ期間は、前記ターゲットセルにおけるｅＮＢのページングサイクルの整数倍に基づく、請求項１１または１２に記載のコンピュータプログラム。
【請求項１９】
請求項１１〜１８のいずれか１項に記載のコンピュータプログラムを格納するための、コンピュータ可読記録媒体。
【発明の詳細な説明】
【技術分野】
【０００１】
関連出願の相互参照
【０００２】
本願は、２０１４年７月２１日に出願された「ＮＥＩＧＨＢＯＲ  ＣＥＬＬ  ＳＹＳＴＥＭ  ＩＮＦＯＲＭＡＴＩＯＮ  ＰＲＯＶＩＳＩＯＮＦＮＧ」という名称の米国仮特許出願第６２／０２７，１８１号に対する優先権を主張する、２０１５年５月５日に出願された「ＮＥＩＧＨＢＯＲ  ＣＥＬＬ  ＳＹＳＴＥＭ  ＩＮＦＯＲＭＡＴＩＯＮ  ＰＲＯＶＩＳＩＯＮＩＮＧ」という名称の米国特許出願第１４／７０４，１９５号に対する優先権を主張し、これらの開示全体は、参照により本明細書に組み込まれる。
【０００３】
本明細書に説明される複数の実施形態は、概ね通信の分野に関し、より詳細には隣接セルシステム情報のプロビジョニングに関する。
【背景技術】
【０００４】
システム情報は、セルからの他の情報を取得するのに必要とされる、重要で最も頻繁に送信される限定された数のパラメータを伝達するマスタ情報ブロック（ＭＩＢ）と、動的システム情報を伝達するいくつかのシステム情報ブロック（ＳＩＢ）とに分割される。ＭＩＢは、更なるシステム情報を受信するのに必要とされるセルの最も重要な物理層情報を規定する。ＳｙｓｔｅｍＩｎｆｏｒｍａｔｉｏｎＢｌｏｃｋＴｙｐｅ１（ＳＩＢ１）は、ＵＥがセルにアクセスすることを可能にされるか否かを評価する場合に関連する情報を含み、複数の他のＳＩＢのスケジューリングを規定する。複数の他のＳＩＢは、関連するシステム情報のセットである。
【０００５】
例えば、変更期間中の特定の無線フレームにおいてのみ、システム情報の変更が行われる。システム情報は、そのスケジューリングにより規定されるように、変更期間内に同一の内容で数回送信され得る。変更期間の境界は、システムフレーム番号（ＳＦＮ）の複数の値により画定され得、この場合、ＳＦＮ  ｍｏｄ  ｍ  ＝０であり、式中、ｍは変更期間を含む無線フレームの数である。変更期間は、システム情報により構成され得る。
【図面の簡単な説明】
【０００６】
複数の実施形態は、添付の図面と併せれば、以下の詳細な説明により容易に理解されるであろう。この説明を容易にするべく、同一の符号は、同一の構造要素を指す。複数の実施形態は、添付の図面における複数の図において限定としてではなく例として図示される。
【図１】様々な実施形態による無線通信システムの実施形態の図である。
【図２】様々な実施形態によるユーザ機器である。
【図３】様々な実施形態によるｅＮＢである。
【図４】様々な実施形態によるＵＥ動作のフロー図を図示する。
【図５】様々な実施形態による例示的なシステムを図示する。
【発明を実施するための形態】
【０００７】
以下の詳細な説明は、添付の図面を参照する。同一の参照番号は、複数の異なる図面において同一または類似の複数の要素を識別するべく用いられ得る。以下の説明において、限定ではなく説明を目的として、特許請求される発明の様々な態様の完全な理解を提供するべく、特定の構造、アーキテクチャ、インタフェース、技術等のような具体的な詳細が記載されている。しかし、本開示の利益を有する当業者には、特許請求される本発明の様々な態様が、これらの具体的な詳細から離れた他の複数の例において実施され得ることが明らかであろう。特定の例において、周知の複数のデバイス、回路、および方法の説明は、不要な詳細で本発明の説明を不明確にしないようにするべく省略されている。
【０００８】
同様に、特許請求される主題を理解するのに最も役立つように、様々な動作は、複数の別個の働きまたは動作として説明され得る。しかし、説明の順序は、これらの動作が必ず順序に依存することを暗に示すものとして解釈されるべきではない。具体的には、これらの動作は、提示される順序で実行されない場合がある。説明される複数の動作は、説明される実施形態とは異なる順序で実行される場合がある。様々な更なる動作が実行され得、および／または説明される複数の動作は、更なる複数の実施形態において省略され得る。
【０００９】
本明細書は、「実施形態において」または「複数の実施形態において」という文言を用いる場合があり、これら各々は、同一または異なる実施形態のうちの１または複数を指し得る。更に、本開示の複数の実施形態に関して用いられる「備える」、「含む」、「有する」等の用語は、同義である。
【００１０】
本明細書において用いられるように、「回路」という用語は、１または複数のソフトウェアもしくはファームウェアプログラムを実行する特定用途向け集積回路（ＡＳＩＣ）、電子回路、プロセッサ（共有、専用、もしくはグループ）、またはメモリ（共有、専用、もしくはグループ）、組み合わせロジック回路、または説明される機能を提供する他の好適なハードウェアコンポーネントを指し、これらの一部であり、またはこれらを含み得る。
【００１１】
図１は、いくつかの実施形態による無線通信システム１００を図示する。無線通信システムは、例えば、ｅＮＢ１２０、１２１、および１２２を含むいくつかのｅＮＢを含み得る。ｅＮＢ１２０、１２１、および１２２は、例えばＵＥ１１０等、任意の数のユーザ機器（ＵＥ）のための様々なサービングセルを提供し得る。いくつかの実施形態において、ｅＮＢ１２０は、プライマリサービングセル（ＰＣｅｌｌ）であり得るＵＥ１１０用のサービングセル１３０を提供し得、ｅＮＢ１２２は、いくつかのセカンダリサービングセル（ＳＣｅｌｌ）、例えば、ＵＥ１１０用のＳＣｅｌｌ１５０、１５１、および１５２を提供し得る。ｅＮＢ１２１は、ターゲットセル１４０を提供する隣接ｅＮＢであってもよく、ＵＥ１１０は、ターゲットセル１４０に本明細書に説明される１または複数の接続を転送し得る。様々な実施形態において、無線通信システムは、第３世代移動体通信システム標準化プロジェクト（３ＧＰＰ）のロングタームエボリューション−アドバンスト（ＬＴＥ−Ａ）システムの次世代ユニバーサル無線アクセスネットワーク（Ｅ−ＵＴＲＡＮ）であってもよい。
【００１２】
いくつかの実施形態において、無線リンク障害（ＲＬＦ）は、サービングセルの無線品質が継続中の通信を所望のサービスレベルでサポートするのに十分でない場合に生じ得る。ＲＬＦが生じると、ＵＥ１１０は、好適なチャネル品質でターゲットセルに接続するべく、無線リソース制御（ＲＲＣ）接続再確立を実行し得る。ターゲットセルは、隣接セルまたはセカンダリセルであってもよい。ＵＥ１１０は、サービングセルが先の継続中のサービスを維持できない時点から新しいサービングセルがそのサービスを提供し得る時点まで、サービスの停止を被る場合がある。ＲＬＦ中の停止時間における複数の主要素のうちの１つは、システム情報の取得であり得る。
【００１３】
３ＧＰＰ技術仕様（ＴＳ）３６．１３３  ＶＩＯ．１．０（２０１１−０１）は、ＲＬＦが生じた場合に、ＲＲＣ接続再確立がどのように実行され得るかを記載する。ＲＲＣ再確立にかかる時間は、ＴＵＥ＿ｒｅ−ｅｓｔａｂｌｉｓｈ＿ｄｅｌａｙ＝５０ｍｓ＋Ｎｆｒｅｑ×Ｔｓｅａｒｃｈ＋ＴＳＩ＋ＴＰＲＡＣＨとして規定され得る。Ｎｆｒｅｑは、ＲＲＣ再確立について監視されるＥ−ＵＴＲＡＮ周波数の総数であり得る（ターゲットＰＣｅｌｌが既知の場合、Ｎｆｒｅｑ＝１である）。Ｔｓｅａｒｃｈは、ターゲットＰＣｅｌｌを探すためにＵＥ１１０により必要とされる時間であり得る（ターゲットＰＣｅｌｌがＵＥ１１０に既知の場合、Ｔｓｅａｒｃｈ＝１００ｍｓであり、ターゲットＰＣｅｌｌがＵＥ１１０に未知の場合（例えば、最後の５秒でＵＥ１１０により測定されなかった場合）には８００ｍｓである）。ＴＳＩは、ターゲットＰＣｅｌｌについて３ＧＰＰ  ＴＳ  ３６．３３１に規定されたシステム情報ブロックのＲＲＣ手順遅延および受信手順に応じて全ての関連システム情報を受信するのに必要とされる時間であり得る（いくつかの例においてＴＳＩ＝１２８０ｍｓ）。ＴＰＲＡＣＨは、ランダムアクセス手順により生じる更なる遅延であり得る（いくつかの例においてＴＰＲＡＣＨ＝１５ｍｓであり、これは、ランピング手順に起因する更なる遅延に加えてランダムアクセス機会に起因する１０ｍｓを含む）。従って、システム情報の取得がＲＲＣ接続再確立遅延の主要素であることが理解され得る。
【００１４】
現在の複数のＬＴＥシステムにおいて、ハンドオーバがある場合、ターゲットｅＮＢは、ターゲットｅＮＢの関連するシステム情報を含むハンドオーバコマンドを生成し得る。次に、ソースｅＮＢは、ハンドオーバコマンド（例えば、ｍｏｂｉｌｉｔｙＣｏｎｔｒｏｌＩｎｆｏ  を有するＲＣＣｏｎｎｅｃｔｉｏｎＲｅｃｏｎｆｉｇｕｒａｔｉｏｎメッセージ）をＵＥに送信し得る。キャリアアグリゲーションについては、複数のＳＣｅｌｌの必要なシステム情報は、専用ＲＲＣシグナリングにより提供され得る。デュアル接続については、マスタｅＮｏｄｅＢ（ＭｅＮＢ）は、専用ＲＲＣシグナリングにより、ＵＥにセカンダリｅＮＢ（ＳｅＮＢ）のシステム情報を提供し得る。このように関連するシステム情報を伝えることは、ＲＬＦの状況において有効でない場合がある。
【００１５】
本開示の複数の実施形態は、複数の隣接セルのシステム情報を事前にＵＥに提供するｅＮＢを説明する。ＲＬＦが生じると、ＵＥは、セル選択の時間中、システム情報を読み取る必要がない場合がある（ほとんどの場合）。なぜなら隣接セルに対応する元のシステム情報は、ほとんどの時間で有効であり得るからである。これにより、システム情報の取得の時間を著しく減少させ得る（０〜数十ミリ秒）。また、システム情報の取得は、ＲＬＦ後のＲＲＣ接続再確立に対応する停止時間全体の主要な要素であるので、ＲＲＣ再確立にかかる時間は、著しく減少し得る。
【００１６】
図１を再び参照すると、本開示の複数の実施形態は、サービングｅＮＢ、例えばｅＮＢ１２０または１２２が隣接セル、例えばターゲットセル１４０に関するシステム情報をＵＥ１１０に提供する様々な態様を説明する。ＲＬＦが生じると、ＵＥ１１０は、ターゲットセル１４０とのＲＲＣ再確立を実行するための有効なシステム情報を有するか否かを判断し得る。
【００１７】
第１の実施形態において、サービングｅＮＢ、例えばｅＮＢ１２０または１２２は、対応するサービングセル内で隣接セル、例えばターゲットセル１４０のシステム情報をブロードキャストし得る。システム情報は、例えば、新しいシステム情報ブロック（ＳＩＢ）（例えば、ＳＩＢ１７）としてブロードキャストされ得る。「新しい」ＳＩＢは、従前の３ＧＰＰ  ＴＳにより規定されていなかったＳＩＢを指す場合がある。ＵＥ１１０は、ＲＲＣ接続状態にあるときに新しいＳＩＢを取得し得るか、またはＵＥ１１０は、特定の条件が満たされる場合にのみ、新しいＳＩＢを取得し得るかのいずれかである。例えば、ＵＥ１１０は、サービングセルの品質（例えば、参照信号受信電力（ＲＳＲＰ）または参照信号受信品質（ＲＳＲＱ））が予め定められた閾値未満である場合に新しいＳＩＢを取得し得る。そのような予め定められた閾値は、ネットワークにより構成され得る。例えば、ｅＮＢ１２０は、ＵＥ１１０に提供される測定構成において予め定められた閾値を構成し得る。
【００１８】
第２の実施形態において、サービングｅＮＢ、例えばｅＮＢ１２０またはｅＮＢ１２２は、専用ＲＲＣシグナリングにより複数の隣接セル、例えばターゲットセル１４０のシステム情報を提供し得る。いくつかの実施形態において、新しいＲＲＣメッセージが導入され得る。「新しい」ＲＲＣメッセージは、従前の３ＧＰＰ  ＴＳにより規定されていなかったＲＲＣメッセージを指す場合がある。いくつかの実施形態において、既存のＲＲＣメッセージ（例えば、ＲＲＣＣｏｎｎｅｃｔｉｏｎＲｅｃｏｎｆｉｇｕｒａｔｉｏｎ）は、複数の隣接セルのシステム情報を提供する目的で拡張され得る。ＵＥ毎に、サービングｅＮＢは、複数の隣接セルのシステム情報を送信するか否かを判断し得、サービングｅＮＢは、システム情報がＵＥに送信されるべき複数の隣接セルのセットを判断し得る。サービングｅＮＢは、例えばＵＥ１１０により提供される測定レポートに基づいてそのような判断を行い得る。
【００１９】
上記の第１および第２の実施形態の双方において、システム情報値タグ（ｓｙｓｔｅｍＩｎｆｏＶａｌｕｅＴａｇ）および／またはブロードキャスト制御チャネル（ＢＣＣＨ）変更期間情報は、ＵＥがターゲットセルシステム情報を判断することを容易にするべく、ＵＥ１１０に提供され得る。ｓｙｓｔｅｍＩｎｆｏＶａｌｕｅＴａｇは、サービングｅＮＢからＵＥに提供されるターゲットセルシステム情報に関連付けられ得る。実際の変更期間は、無線フレームの数で表され、変更期間係数（ｍｏｄｉｆｉｃａｔｉｏｎＰｅｒｉｏｄＣｏｅｆｆ）×デフォルトのページングサイクル（ｄｅｆａｕｌｔＰａｇｉｎｇＣｙｃｌｅ）に等しくなり得、ｍｏｄｉｆｉｃａｔｉｏｎＰｅｒｉｏｄＣｏｅｆｆは、２、４、８、１６等であり得る整数である。
【００２０】
ｅＮＢ１２０、１２１、および１２２は、複数のＸ２インタフェースを介して互いに通信し得る。いくつかの実施形態において、ｅＮＢ１２０、１２１、および１２２は、これらのＸ２インタフェースを介して更新されたシステム情報を交換し得る。
【００２１】
ＳＩＢ１は、値タグｓｙｓｔｅｍＩｎｆｏＶａｌｕｅＴａｇを含み得、これはシステム情報に変更が生じたか否かを示す。ＵＥ１１０は、例えばカバレッジの外から戻ると、ｓｙｓｔｅｍＩｎｆｏＶａｌｕｅＴａｇを用いて、前に格納されたシステム情報がなおも有効か否かを検証し得る。更に、ＵＥは、別途指定されない限り、予め定められた時間後、例えば、有効であると成功裏に確認された瞬間から３時間後に、格納されたシステム情報を無効であるとみなし得る。
【００２２】
図２は、いくつかの実施形態によるＵＥ２００を図示する。ＵＥ２００は、ＵＥ１１０と類似し、実質的に相互に交換可能であり得る。ＵＥ２００は、少なくとも、示されるように、例えば、互いに結合された検出回路２０４、接続回路２０８、および通信回路２１２を含み得る。
【００２３】
簡単に言えば、検出回路２０４は、特にＲＬＦイベントを検出するように構成されるロジックを含み得る。いくつかの実施形態において、検出回路２０４は、例えば通信回路２１２から、提供されるサービスレベルに関する周期的な品質メトリックを受信し得る。検出回路２０４は、受信された品質メトリックを予め定められた閾値と比較して、提供されるサービスレベルが継続中の通信を所望のサービスレベルでサポートするのに十分であるか否かを判断し得る。いくつかの実施形態において、検出回路２０４は、所望のサービスレベルでプログラミングされてもよく、または例えば、通信回路２１２により所望のサービスレベルで動的に構成され得る。
【００２４】
一般に、接続回路２０８は、ＵＥ２００のための様々な通信接続を制御するように用いられ得る。いくつかの実施形態において、接続回路２０８は、他の複数のネットワークエンティティ、例えばｅＮＢ、ネットワークコントローラ等において確立される対応する複数のプロトコル層との通信接続を確立および維持する１または複数のプロトコル層を実装し得る。本明細書の様々な実施形態に関して説明されるように、接続回路２０８は、例えばｅＮＢにおけるＲＲＣ層とのＲＲＣ接続を確立し得る。接続回路２０８に、検出回路２０４によりＲＬＦイベントが生じたことが通知されると、接続回路２０８は、本明細書に説明されるＲＲＣ接続再確立手順に関連付けられた複数の動作を実行し得る。これらの動作は、例えば、システム情報を取得すること、取得されたシステム情報が依然として有効であるか否かを判断すること、システム情報を用いてターゲットセルとのＲＲＣ接続を確立することを含み得る。
【００２５】
通信回路２１２は、様々な通信プロトコルを実装して、１または複数のネットワークを介した通信を促進するように用いられ得る。いくつかの実施形態において、ネットワークは、例えば、図１に関して上記されたＥ−ＵＴＲＡＮであってもよい。通信回路は、通信のための複数の信号をエンコード／デコードし、一般に、図５に関して後述される複数の無線制御機能を実行し得る。
【００２６】
図３は、いくつかの実施形態によるｅＮＢ３００を図示する。ｅＮＢ３００は、ｅＮＢ１２０または１２２と類似し、実質的に相互に交換可能であり得る。ｅＮＢ３００は、少なくとも、示されるように、例えば、互いに結合される構成回路３０４および通信回路３０８を含み得る。
【００２７】
通信回路３０８は、様々な通信プロトコルを実装して、１または複数のネットワークを介した通信を促進するロジックを含み得る。いくつかの実施形態において、ネットワークは、複数のコアコンポーネント、他の複数のｅＮＢ等と通信するための、例えば、図１に関して上記されたＥ−ＵＴＲＡＮ、および１または複数の有線ネットワーク、例えば、イーサネット（登録商標）ネットワークであり得る。通信回路３０８は、複数の適切なネットワークを介して通信するための複数の信号をエンコード／デコードし得る。
【００２８】
構成回路３０４は、本明細書に説明されるサービングセルを提供するｅＮＢの複数の動作を提供するためのロジックを含み得る。具体的には、構成回路３０４は、通信回路３０８を介して１または複数の隣接ｅＮＢからシステム情報を受信し得る。受信されたシステム情報は、隣接ｅＮＢも隣接セル内の複数のＳＩＢにおいて送信する情報を含み得る。次に、構成回路は、複数のシステム情報メッセージを生成して通信回路３０８を制御し、生成されたシステム情報メッセージを、サービングセルを介してｅＮＢに接続された複数のＵＥに送信し得る。いくつかの実施形態において、複数のシステム情報メッセージは、既に提供されたシステム情報がなおも有効であるか否かを判断するべく、ＵＥにより用いられ得る１または複数のパラメータに加えて、複数の隣接ｅＮＢから受信されたシステム情報を提供し得る（例えば、ｓｙｓｔｅｍＩｎｆｏＶａｌｕｅＴａｇおよび／またはＢＣＣＨ変更期間情報（例えば、ｍｏｄｉｆｉｃａｔｉｏｎＰｅｒｉｏｄＣｏｅｆｆ  ＩＥおよびｄｅｆａｕｌｔＰａｇｉｎｇＣｙｃｌｅ）。
【００２９】
図４は、様々な実施形態による、ＵＥ、例えば、ＵＥ１１０またはＵＥ２００により実行され得る方法４００を図示するフロー図である。いくつかの実施形態において、ＵＥは、実行されると、ＵＥに本方法を実行させる複数の命令を格納した１または複数の非一時的コンピュータ可読媒体を含み、またはこれに対するアクセスを有し得る。
【００３０】
いくつかの実施形態において、方法４００のブロック４０１は、検出回路２０４により（場合によっては通信回路２１２と連動して）実行され得、方法４００における残りの複数のブロックは、接続回路２０８により（場合によっては通信回路２１２と連動して）実行され得る。
【００３１】
ブロック４０１において、方法４００は、ＲＬＦイベントを検出する段階を含み得る。ＲＬＦイベントの検出は、例えば、既存の接続／セルにより提供されるサービスレベルが継続中の通信を適切にサポートするには不十分であると判断する検出回路２０４により行われ得る。
【００３２】
ブロック４０２において、方法４００は、セル選択手順を実行して、ターゲットセル、例えばターゲットセル１４０を選択する段階を備え得る。いくつかの実施形態において、ターゲットセルは、複数の隣接セル、サービングセル等からの複数の隣接レポートにおいてＵＥに送信される情報に基づいて選択され得る。
【００３３】
ブロック４０３において、方法４００は、マスタ情報ブロック（ＭＩＢ）をターゲットセルから取得して、ＭＩＢからのシステムフレーム番号（ＳＦＮ）を判断する段階を備え得る。ＭＩＢは、例えば、物理ブロードキャストチャネル（ＰＢＣＨ）を用いてターゲットセルにより周期的にブロードキャストされ得る。ＭＩＢは、例えば、システム帯域幅に対する３ビット、物理ハイブリッド自動反復要求インジケータチャネル（ＰＨＩＣＨ）に対する３ビット、およびＳＦＮに対する８ビットを含み得る。
【００３４】
ブロック４０４において、方法４００は、ＵＥがターゲットセル１４０の動的システム情報（ＳＩ）を受信したか否かを判断する段階を備え得る。動的ＳＩは、ＵＥがターゲットセルとのＲＲＣ接続再確立手順を完了することを可能にする１または複数のＳＩＢからのＳＩであり得る。動的ＳＩとしては、ＳＩＢスケジューリング情報、セルＩＤ、共通／共有チャネル情報、セル再選択情報、アップリンク電力制御、プリアンブル電力ランピング、アップリンクサイクリックプレフィックスの長さ、サブフレームホッピング等が挙げられ得るが、これらに限定されない。
【００３５】
ターゲットセル１４０の動的ＳＩは、サービングセルから（ブロードキャストまたは専用シグナリングのいずれかにおいて）既に受信され、ＵＥのストレージ媒体内に格納されている場合がある。従って、４０４における判断する段階は、ＵＥ上のストレージ媒体を確認して、既に提供された動的ＳＩがローカルで利用可能か否かを判断する段階を備え得る。
【００３６】
ＵＥ１１０が動的ＳＩを受信した場合、方法４００は、ブロック４０６において、ＵＥ１１０がサービングセルから動的ＳＩを受信したのと同一のＢＣＣＨ変更期間において、ＵＥがＭＩＢを受信したか否かを判断する段階を備え得る。
【００３７】
ＭＩＢが既に受信された動的ＳＩと同一のＢＣＣＨ変更期間において受信された場合、方法４００は、ブロック４１６において既に受信された動的ＳＩを用いて、ＲＲＣ接続再確立手順を続行する段階に進み得る。
【００３８】
ブロック４０６において、ＵＥ１１０が動的ＳＩを受信したＢＣＣＨ変更期間において、ＭＩＢが受信されない、例えば、ＵＥ１１０が先行するＢＣＣＨ変更期間において動的ＳＩを受信したと判断される場合、方法４００は、ブロック４０８においてＳＩＢ１を読み取り、ｓｙｓｔｅｍＩｎｆｏＶａｌｕｅＴａｇを確認する段階を備え得る。ＳＩＢ１は、ＵＥにより、ターゲットセルから直接に受信され得る。
【００３９】
ブロック４１０において、本方法は、格納された動的ＳＩの有効性を判断する段階を備え得る。これは、現在のＳＩＢ１からのｓｙｓｔｅｍＩｎｆｏＶａｌｕｅＴａｇがサービングセルにおいて既に受信された動的ＳＩに関連付けられるｓｙｓｔｅｍＩｎｆｏＶａｌｕｅＴａｇと同一であるか否かを判断することにより行われ得る。複数のｓｙｓｔｅｍＩｎｆｏＶａｌｕｅＴａｇが同一である場合、ＵＥは、既に受信された動的ＳＩが有効であるとみなし得、方法４００はブロック４１６に進み得る。このように、ＵＥは、ターゲットセルの動的ＳＩおよびターゲットセルのＭＩＢが同一のＢＣＣＨ変更期間において受信されなかった場合に、現在のＳＩＢ１におけるｓｙｓｔｅｍＩｎｆｏＶａｌｕｅＴａｇを確認することにより、格納された動的ＳＩが依然として有効であることを検証し得る。
【００４０】
複数のｓｙｓｔｅｍＩｎｆｏＶａｌｕｅＴａｇがブロック４１０において異なると判断される場合、ＵＥは、格納された動的ＳＩを無効とみなし得、方法４００は、ターゲットセル１４０における追加の動的ＳＩを取得する段階に進み得る。ＳＩＢ１がブロック４０８において既に受信されている場合、ブロック４１４においてターゲットセル１４０から取得された追加の動的ＳＩは、ＳＩＢ１以外の複数のＳＩＢに含まれる動的ＳＩであり得る。
【００４１】
ブロック４０４において、ＵＥ１１０がターゲットセルのシステム情報を受信しなかったと判断される場合、方法４００は、ブロック４１２においてターゲットセルからターゲットセルのＳＩＢ１を取得する段階と、次にブロック４１４において追加の動的ＳＩを複数の他のＳＩＢから取得する段階とを備え得る。
【００４２】
ブロック４１４の後に、方法４００は、４１６において得られた動的ＳＩを用いてＲＲＣ接続再確立手順を続行する段階に進み得る。
【００４３】
上記のものに類似する複数のコンセプトは、後述されるように、キャリアアグリゲーションおよび複数のデュアル接続システムの双方に有用であり得る。
【００４４】
様々な実施形態において、複数のＳＣｅｌｌの必要なシステム情報が専用ＲＲＣシグナリングにより提供される複数のキャリアアグリゲーションシステムの強化が提供される。これらの実施形態において、ターゲットセルは、ＳＣｅｌｌであり得る。ＲＬＦが生じ、ＵＥが別のＳＣｅｌｌを選択しなければならない場合、ＵＥ１１０は、システム情報を再び取得する必要があり得る。なぜならＵＥ１１０は、前に格納されたシステム情報が有効であるか否かを知らない場合があるからである。その理由は、ｓｙｓｔｅｍＩｎｆｏＶａｌｕｅＴａｇもＢＣＣＨ変更期間も、専用ＲＲＣシグナリング（ＲａｄｉｏＲｅｓｏｕｒｃｅＣｏｎｆｉｇＣｏｍｍｏｎＳＣｅｌｌ）において送信されない場合があるということである。従って、ＲＬＦの後に、ＵＥ１１０が複数のＳＣｅｌｌのうちの１つを選択する場合、セルのＳＩＢ１を読み取った後、ＵＥ１１０は、システム情報が変更されたか否かを知らない場合がある。更に、ＵＥは、ＳＣｅｌｌのＢＣＣＨ変更期間を知らない場合がある。従って、ＲＬＦが生じると、ＵＥ１１０は、ＢＣＣＨ変更期間の長さに関して控えめな仮定を用いる場合があり、例えば、ＢＣＣＨ変更期間は６４０ｍｓであると仮定する。
【００４５】
いくつかの実施形態において、ＳｅＮＢの複数のＳＣｅｌｌのシステム情報であるｓｙｓｔｅｍＩｎｆｏＶａｌｕｅＴａｇ、および／またはＢＣＣＨ変更期間情報は、サービングｅＮＢからの専用シグナリングによりＵＥに提供され得る。複数のＳＣｅｌｌのシステム情報は、例えば、ＲａｄｉｏＲｅｓｏｕｒｃｅＣｏｎｆｉｇＣｏｍｍｏｎＳＣｅｌｌ情報要素（ＩＥ）において提供され得る。ＳＣｅｌｌシステム情報が有効であるとＵＥが判断すると、ＵＥは、システム情報の取得をスキップして、ＲＲＣ接続再確立手順を続行し得る（例えば、ランダムアクセス手順を開始する）。従って、ＲＲＣ再確立の時間は、ＲＬＦが生じた場合に大幅に低減され得る。
【００４６】
ＵＥがシステム情報の有効性を確認した時点と、専用ＲＲＣシグナリングによりＵＥにシステム情報が提供された時点との間のタイミングの差がＢＣＣＨ変更期間内にある場合、ＵＥは、専用システム情報がなおも有効であると仮定し得、従ってＵＥは、システム情報の取得をスキップして、ＲＲＣ接続再確立手順を続行し得る（例えば、ランダムアクセス手順を開始する）。
【００４７】
現在、ＢＣＣＨ変更期間は、ｍｏｄｉｆｉｃａｔｉｏｎＰｅｒｉｏｄＣｏｅｆｆ  ＩＥおよびｄｅｆａｕｌｔＰａｇｉｎｇＣｙｃｌｅから導出され得、これは、専用シグナリングにおいて提供され得る。３ＧＰＰ  ＴＳ  ３６．３３１における１つの例示的なＡＳＮ．１コード変更が以下に示され、追加のものが下線で示される。この例において、ｓｙｓｔｅｍＩｎｆｏＶａｌｕｅＴａｇおよびＢＣＣＨ変更期間情報の双方が提供される。
【表１】
0006362279.tif 000002
【００４８】
様々な実施形態において、デュアル接続システムの強化が提供され得る。現在、デュアル接続において、ＳｅＮＢの複数のＳＣｅｌｌの必要なシステム情報は、専用ＲＲＣシグナリングにより提供され得る。ＲＬＦが生じ、ＵＥ１１０がＳｅＮＢの複数のＳＣｅｌｌのうちの１つを選択する場合、ＵＥ１１０は、システム情報を再び取得する必要があり得る。なぜならＵＥ１１０は、前に格納されたシステム情報が有効であるか否かを知らないからである。その理由は、キャリアアグリゲーションに関する説明と同様である。
【００４９】
従って、本開示の様々な実施形態は、ＳｅＮＢの複数のＳＣｅｌｌのシステム情報であるｓｙｓｔｅｍＩｎｆｏＶａｌｕｅＴａｇ、および／またはＢＣＣＨ変更期間情報を提供するための専用シグナリングを使用し得る。現在、ＢＣＣＨ変更期間は、ＩＥ  ｍｏｄｉｆｉｃａｔｉｏｎＰｅｒｉｏｄＣｏｅｆｆおよびｄｅｆａｕｌｔＰａｇｉｎｇＣｙｃｌｅから導出され得、これらは、専用シグナリングにおいて提供され得る。
【００５０】
本明細書において説明されるＵＥおよびｅＮＢは、所望のように構成される任意の好適なハードウェア、ファームウェア、またはソフトウェアを用いてシステムへと実装され得る。図５は、少なくとも、示されるように、一実施形態において互いに結合された通信インタフェース回路５０４、通信インタフェース制御回路５０８、アプリケーション回路５１２、メモリ／ストレージ５１６、ディスプレイ５２０、カメラ５２４、センサ５２８、および入力／出力（Ｉ／Ｏ）インタフェース５３２を備えるシステム５００の例を図示する。
【００５１】
アプリケーション回路５１２は、１または複数のシングルコアプロセッサまたはマルチコアプロセッサのような回路を含み得るが、これらに限定されない。プロセッサは、汎用プロセッサおよび専用プロセッサ（例えば、グラフィックスプロセッサ、アプリケーションプロセッサ等）の任意の組み合わせを含み得る。プロセッサは、メモリ／ストレージ５１６に結合され、様々なアプリケーションまたはオペレーティングシステムがシステム５００上で実行されることを可能にするべく、メモリ／ストレージ５１６内に格納された複数の命令を実行するように構成され得る。
【００５２】
通信インタフェース制御回路５０８は、１または複数のシングルコアプロセッサまたはマルチコアプロセッサのような回路を含み得るが、これらに限定されない。プロセッサとしては、ベースバンドプロセッサ、デジタル信号プロセッサ等が挙げられ得る。通信インタフェース制御回路５０８は、通信インタフェース回路５０４を介して１または複数のネットワークとの通信を可能にする様々な制御機能を扱い得る。制御機能としては、信号変調、エンコード、デコード、無線周波数シフト等が挙げられ得るが、これらに限定されない。
【００５３】
いくつかの実施形態において、通信インタフェース制御回路５０８は、１または複数の無線技術と互換性のある通信を提供するベースバンド回路を含み得る。例えば、いくつかの実施形態において、ベースバンド回路は、Ｅ−ＵＴＲＡＮもしくは他の無線メトロポリタンエリアネットワーク（ＷＭＡＮ）、無線ローカルエリアネットワーク（ＷＬＡＮ）、または無線パーソナルエリアネットワーク（ＷＰＡＮ）との通信をサポートし得る。ベースバンド回路が２つ以上の無線プロトコルの無線通信をサポートするように構成される複数の実施形態は、マルチモードベースバンド回路と称され得る。
【００５４】
いくつかの実施形態において、通信インタフェース制御回路５０８は、１または複数の有線ネットワークと互換性のある通信を提供する他の信号処理回路を含み得る。
【００５５】
通信インタフェース回路５０４は、例えば、非固体媒体による変調電磁放射を用いる無線ネットワーク、有線ネットワーク、光ネットワーク等のような１または複数のネットワークとの通信を可能にする有線または無線インタフェースであってもよい。様々な実施形態において、通信インタフェース回路５０４は、複数の適切なネットワークとの通信を促進するべく、複数のスイッチ、フィルタ、増幅器等を含み得る。
【００５６】
システムがＵＥとして実装される複数の実施形態において、検出回路２０４および接続回路２０８は、通信インタフェース制御回路５０８または通信インタフェース回路５０４において実装され得、通信回路２１２は、通信インタフェース回路５０４において実装され得る。
【００５７】
システムがｅＮＢとして実装される複数の実施形態において、構成回路３０４は、通信インタフェース制御回路５０８において実装され得、通信回路３０８は、通信インタフェース回路５０４において実装され得る。
【００５８】
メモリ／ストレージ５１６は、例えば、システム５００のためにデータまたは複数の命令をロードおよびストアするべく用いられ得る。一実施形態におけるメモリ／ストレージ５１６は、好適な揮発性メモリ（例えば、ダイナミックランダムアクセスメモリ（ＤＲＡＭ））または不揮発性メモリ（例えば、フラッシュメモリ）の任意の組み合わせを含み得る。
【００５９】
いくつかの実施形態において、通信インタフェース制御回路５０８、通信インタフェース回路５０４、またはメモリ／ストレージ５１６の構成部品のうちのいくつかまたは全ては、システムオンチップ（ＳＯＣ）上に一緒に実装され得る。
【００６０】
様々な実施形態において、Ｉ／Ｏインタフェース５３２は、システム５００とのユーザインタラクションを可能にするように設計された１または複数のユーザインタフェース、またはシステム５００との周辺コンポーネントインタラクションを可能にするように設計された複数の周辺コンポーネントインタフェースを含み得る。ユーザインタフェースとしては、物理キーボードまたはキーパッド、タッチパッド、スピーカ、マイク等が挙げられ得るが、これらに限定されない。周辺構成要素インタフェースとしては、不揮発性メモリポート、ユニバーサルシリアルバス（ＵＳＢ）ポート、オーディオジャック、および電源インタフェースが挙げられ得るが、これらに限定されない。
【００６１】
様々な実施形態において、センサ５２８は、システム５００に関連する環境条件または位置情報を判断するための１または複数のセンシングデバイスを含み得る。いくつかの実施形態において、センサとしては、ジャイロセンサ、加速度計、近接センサ、環境光センサ、および測位ユニットが挙げられ得るが、これらに限定されない。また、測位ユニットは、測位ネットワークの複数のコンポーネント、例えば全地球測位システム（ＧＰＳ）の衛星と通信するためのベースバンド回路５０８またはＲＦ回路５０４の一部であるか、またはこれらとインタラクトし得る。
【００６２】
様々な実施形態において、ディスプレイ５２０は、ディスプレイ（例えば、液晶ディスプレイ、タッチスクリーンディスプレイ等）を含み得る。
【００６３】
様々な実施形態において、システム５００は、ＵＥ（例えば、ラップトップコンピューティングデバイス、タブレットコンピューティングデバイス、ネットブック、ウルトラブック、スマートフォン等のモバイルコンピューティングデバイスであるが、これらに限定されない）またはｅＮＢであり得る。様々な実施形態において、システム５００は、より多いか、もしくはより少ないコンポーネント、または異なるアーキテクチャを有し得る。
【００６４】
以下の段落は、様々な実施形態の例を記載する。
【００６５】
例１は、無線リンク障害（ＲＬＦ）イベントを検出するための検出回路と、検出回路に結合され、ターゲットセルからマスタ情報ブロック（ＭＩＢ）を取得し、ＲＬＦイベントの当該検出に基づいて、ターゲットセルの第１のシステム情報（ＳＩ）が装置において利用可能か否かを判断し、第１のＳＩが利用可能でないと判断される場合、第２のＳＩを有する１または複数のシステム情報ブロック（ＳＩＢ）を取得し、第２のＳＩに基づいて無線リソース制御（ＲＲＣ）接続再確立手順を実行し、第１のＳＩが利用可能であると判断される場合、第１のＳＩおよびＭＩＢが共通のブロードキャスト制御チャネル（ＢＣＣＨ）変更期間内に受信されたか否かを判断し、第１のＳＩおよびＭＩＢが共通のＢＣＣＨ変更期間内に受信されたと判断される場合、第１のＳＩに基づいてＲＲＣ接続再確立手順を実行する、接続回路とを備える、装置を含む。
【００６６】
例２は、例１の装置を含み、接続回路は、更に、第１のＳＩおよびＭＩＢが共通のＢＣＣＨ変更期間内に受信されなかったと判断される場合、第１のＳＩが有効であるか否かを判断し、第１のＳＩが有効であると判断される場合、第１のＳＩに基づいてＲＲＣ接続再確立手順を実行し、第１のＳＩが有効でないと判断される場合、第２のＳＩを有する１または複数のＳＩＢを取得し、第２のＳＩに基づいてＲＲＣ接続再確立手順を実行する。
【００６７】
例３は、例２の装置を含み、接続回路は、更に、第１のシステム情報値タグ（ｓｙｓｔｅｍＩｎｆｏＶａｌｕｅＴａｇ）をシステム情報ブロック１（ＳＩＢ１）から読み取り、第１のｓｙｓｔｅｍＩｎｆｏＶａｌｕｅＴａｇが第１のＳＩに関連付けられる第２のｓｙｓｔｅｍＩｎｆｏＶａｌｕｅＴａｇに一致すると判断される場合、第１のＳＩが有効であると判断する。
【００６８】
例４は、例１〜３のいずれかの装置を含み、第１のＳＩおよび第２のＳＩは、各システム情報ブロックにおいて受信される。
【００６９】
例５は、例１〜４のいずれかの装置を含み、ターゲットセルは、セカンダリセル（ＳＣｅｌｌ）である。
【００７０】
例６は、例１〜５のいずれかの装置を含み、ブロードキャストシステム情報ブロックメッセージをサービングセルから受信し、第１のＳＩをブロードキャストシステム情報ブロックメッセージから取得する受信回路を更に備える。
【００７１】
例７は、例１〜５のいずれかの装置を含み、専用無線リソース制御（ＲＲＣ）シグナリングメッセージをサービングセルから受信し、第１のＳＩを専用ＲＲＣシグナリングメッセージから取得する受信回路を更に備える。
【００７２】
例８は、例１〜７のいずれかの装置を含み、ＢＣＣＨ変更期間は、ターゲットセルにおけるｅＮＢのページングサイクルの整数倍である。
【００７３】
例９は、実行されると、ユーザ機器（ＵＥ）に、無線リンク障害（ＲＬＦ）イベントを検出させ、ターゲットセルを選択させ、ターゲットセルの第１のシステム情報（ＳＩ）およびブロードキャスト制御チャネル改変（ＢＣＣＨ）期間情報を、専用シグナリングによりサービングセルから取得させ、第１のＳＩの取得の時点が現在のＢＣＣＨ期間内であるか否かを判断させ、取得の時点が現在のＢＣＣＨ期間内であると判断される場合、第１のＳＩに基づいて、無線リソース制御（ＲＲＣ）接続再確立手順を実行させ、第１のＳＩの取得の時点が現在のＢＣＣＨ期間内でないと判断される場合、第１のＳＩが有効であるか否かを判断させ、第１のＳＩが有効であると判断される場合、第１のＳＩに基づいてＲＲＣ接続再確立手順を実行させ、第１のＳＩが有効でないと判断される場合、ターゲットセルの第２のＳＩを取得し、第２のＳＩに基づいてＲＲＣ接続再確立手順を実行させる、複数の命令を有する１または複数の非一時的コンピュータ可読媒体を含む。
【００７４】
例１０は、例９の１または複数のコンピュータ可読媒体を含み、ターゲットセルは、キャリアアグリゲーションまたはデュアル接続システムにおけるセカンダリセル（ＳＣｅｌｌ）である。
【００７５】
例１１は、例９〜１０のいずれかの１または複数のコンピュータ可読媒体を含み、サービングセルは、マスタｅＮＢ（ＭｅＮＢ）である。
【００７６】
例１２は、例９〜１１のいずれかの１または複数のコンピュータ可読媒体を含み、ＢＣＣＨ期間情報は、変更期間係数およびデフォルトのページングサイクルを含み、複数の命令は、実行されると、ＵＥに更に、変更期間係数およびデフォルトのページングサイクルに基づいて現在のＢＣＣＨ期間を判断させる。
【００７７】
例１３は、例９〜１２のいずれかの１または複数のコンピュータ可読媒体を含み、複数の命令は、実行されると、ＵＥに更に、第１のＳＩに関連付けられた第１のシステム情報値タグがターゲットセルのシステム情報ブロックからの第２のシステム情報値タグに一致する場合に、第１のＳＩが有効であると判断させる。
【００７８】
例１４は、例９〜１３のいずれかの１または複数のコンピュータ可読媒体を含み、現在のＢＣＣＨ期間は、ターゲットセルにおけるｅＮＢのページングサイクルの整数倍に基づく。
【００７９】
例１５は、  進化型ノードＢ（ｅＮＢ）であって、隣接ｅＮＢから、隣接セル内の複数のシステム情報ブロックにおいて隣接ｅＮＢによっても送信される情報を含むシステム情報を受信する通信回路と、通信回路に結合され、システム情報を含むシステム情報メッセージを生成し、システム情報をｅＮＢのサービングセル内のＵＥに送信するように通信回路を制御する構成回路とを備える、ｅＮＢを含む。
【００８０】
例１６は、例１５のｅＮＢを含み、システム情報メッセージは、システム情報値タグおよびブロードキャスト制御チャネル（ＢＣＣＨ）情報を更に含む。
【００８１】
例１７は、例１６のｅＮＢを含み、ＢＣＣＨ情報は、変更期間係数およびデフォルトのページングサイクルの指標を含む。
【００８２】
例１８は、例１７のｅＮＢを含み、変更期間係数は、整数である。
【００８３】
例１９は、例１５〜１８のいずれかのｅＮＢを含み、構成回路は、更に、通信回路を介して測定構成をＵＥに提供し、測定構成は、予め定められたサービングセル品質閾値を構成し、ＵＥは、サービングセル品質閾値未満の場合に、複数の隣接セルのシステム情報を取得する。
【００８４】
例２０は、例１５〜１９のいずれかのｅＮＢを含み、通信回路は、専用シグナリングにおいてシステム情報メッセージを送信する。
【００８５】
例２１は、例２０のｅＮＢを含み、専用シグナリングは、無線リソース制御（ＲＲＣ）メッセージを含む。
【００８６】
例２２は、例１５〜２１のいずれかのｅＮＢを含み、通信回路は、ブロードキャストシグナリングにおいてシステム情報メッセージを送信する。
【００８７】
例２３は、例２２のｅＮＢを含み、ブロードキャストシグナリングは、システム情報ブロックを含む。
【００８８】
例２４は、ユーザ機器（ＵＥ）を動作させるための方法を含み、方法は、無線リンク障害（ＲＬＦ）イベントを検出する段階と、ターゲットセルからマスタ情報ブロック（ＭＩＢ）を取得する段階と、ＲＬＦイベントの当該検出に基づいて、ターゲットセルの第１のシステム情報（ＳＩ）がＵＥにおいて利用可能か否かを判断する段階と、第１のＳＩが利用可能でないと判断される場合、第２のＳＩを有する１または複数のシステム情報ブロック（ＳＩＢ）を取得し、第２のＳＩに基づいて無線リソース制御（ＲＲＣ）接続再確立手順を実行する段階と、第１のＳＩが利用可能であると判断される場合、第１のＳＩおよびＭＩＢが共通のブロードキャスト制御チャネル（ＢＣＣＨ）変更期間内に受信されたか否かを判断する段階と、第１のＳＩおよびＭＩＢが共通のＢＣＣＨ変更期間内に受信されたと判断される場合、第１のＳＩに基づいてＲＲＣ接続再確立手順を実行する段階とを備える。
【００８９】
例２５は、例２４の方法を含み、更に、第１のＳＩおよびＭＩＢが共通のＢＣＣＨ変更期間内に受信されなかったと判断される場合、第１のＳＩが有効であるか否かを判断する段階と、第１のＳＩが有効であると判断される場合、第１のＳＩに基づいてＲＲＣ接続再確立手順を実行する段階と、第１のＳＩが有効でないと判断される場合、第２のＳＩを有する１または複数のＳＩＢを取得し、第２のＳＩに基づいてＲＲＣ接続再確立手順を実行する段階を備える。
【００９０】
例２６。例２５の方法は、更に、第１のシステム情報値タグ（ｓｙｓｔｅｍＩｎｆｏＶａｌｕｅＴａｇ）をシステム情報ブロック１（ＳＩＢ１）から読み取る段階と、第１のｓｙｓｔｅｍＩｎｆｏＶａｌｕｅＴａｇが第１のＳＩに関連付けられる第２のｓｙｓｔｅｍＩｎｆｏＶａｌｕｅＴａｇに一致すると判断される場合、第１のＳＩが有効であると判断する段階とを備える。
【００９１】
例２７は、例２４〜２６のいずれかの方法を含み、第１のＳＩおよび第２のＳＩは、各システム情報ブロックにおいて受信される。
【００９２】
例２８は、例２４〜２７のいずれかの方法を含み、ターゲットセルは、セカンダリセル（ＳＣｅｌｌ）である。
【００９３】
例２９は、例２４〜２８のいずれかの方法を含み、ブロードキャストシステム情報ブロックメッセージをサービングセルから受信する段階と、第１のＳＩをブロードキャストシステム情報ブロックメッセージから取得する段階とを更に備える。
【００９４】
例３０は、例２４〜２８のいずれかの方法を含み、専用無線リソース制御（ＲＲＣ）シグナリングメッセージをサービングセルから受信する段階と、第１のＳＩを専用ＲＲＣシグナリングメッセージから取得する段階とを更に備える。
【００９５】
例３１は、例２４〜３０のいずれかの方法を含み、ＢＣＣＨ変更期間は、ターゲットセルにおけるｅＮＢのページングサイクルの整数倍である。
【００９６】
例３２は、ユーザ機器（ＵＥ）を動作させるための方法を含み、方法は、無線リンク障害（ＲＬＦ）イベントを検出する段階と、ターゲットセルを選択する段階と、ターゲットセルの第１のシステム情報（ＳＩ）およびブロードキャスト制御チャネル改変（ＢＣＣＨ）期間情報を、専用シグナリングによりサービングセルから取得する段階と、第１のＳＩの取得の時点が現在のＢＣＣＨ期間内であるか否かを判断する段階と、取得の時点が現在のＢＣＣＨ期間内であると判断される場合、第１のＳＩに基づいて、無線リソース制御（ＲＲＣ）接続再確立手順を実行する段階と、第１のＳＩの取得の時点が現在のＢＣＣＨ期間内でないと判断される場合、第１のＳＩが有効であるか否かを判断する段階と、第１のＳＩが有効であると判断される場合、第１のＳＩに基づいてＲＲＣ接続再確立手順を実行する段階と、第１のＳＩが有効でないと判断される場合、ターゲットセルの第２のＳＩを取得し、第２のＳＩに基づいてＲＲＣ接続再確立手順を実行する段階とを備える。
【００９７】
例３３は、例３２の方法を含み、ターゲットセルは、キャリアアグリゲーションまたはデュアル接続システムにおけるセカンダリセル（ＳＣｅｌｌ）である。
【００９８】
例３４は、例３２〜３３のいずれかの方法を含み、サービングセルは、マスタｅＮＢ（ＭｅＮＢ）である。
【００９９】
例３５は、例３２〜３４のいずれかの方法を含み、ＢＣＣＨ期間情報は、変更期間係数およびデフォルトのページングサイクルを含み、方法は、更に、変更期間係数およびデフォルトのページングサイクルに基づいて現在のＢＣＣＨ期間を判断する段階を備える。
【０１００】
例３６は、例３２〜３５のいずれかの方法を含み、更に、第１のＳＩに関連付けられた第１のシステム情報値タグがターゲットセルのシステム情報ブロックからの第２のシステム情報値タグに一致する場合に、第１のＳＩが有効であると判断する段階を備える。
【０１０１】
例３７は、例３２〜３６のいずれかの方法を含み、現在のＢＣＣＨ期間は、ターゲットセルにおけるｅＮＢのページングサイクルの整数倍に基づく。
【０１０２】
例３８は、進化型ノードＢ（ｅＮＢ）を動作させるための方法を含み、方法は、隣接ｅＮＢから受信された、隣接セル内の複数のシステム情報ブロックにおいても隣接ｅＮＢにより送信される情報を含むシステム情報を処理する段階と、システム情報を含むシステム情報メッセージを生成する段階と、システム情報をｅＮＢのサービングセル内のＵＥに送信する段階とを備える。
【０１０３】
例は、例３８の方法を含み、システム情報メッセージは、システム情報値タグおよびブロードキャスト制御チャネル（ＢＣＣＨ）情報を更に含む。
【０１０４】
例４０は、例３８の方法を含み、ＢＣＣＨ情報は、変更期間係数およびデフォルトのページングサイクルの指標を含む。
【０１０５】
例４１は、例４０の方法を含み、変更期間係数は、整数である。
【０１０６】
例４２は、例３８〜４１のいずれかの方法を含み、更に、通信回路を介して測定構成をＵＥに提供する段階を備え、測定構成は、予め定められたサービングセル品質閾値を構成し、ＵＥは、サービングセル品質閾値未満の場合に、複数の隣接セルのシステム情報を取得する。
【０１０７】
例４３は、例３８〜４２のいずれかの方法を含み、専用シグナリングにおいてシステム情報メッセージを送信する段階を更に備える。
【０１０８】
例４４は、例４３の方法を含み、専用シグナリングは、無線リソース制御（ＲＲＣ）メッセージを含む。
【０１０９】
例４５は、例３８〜４４のいずれかの方法を含み、ブロードキャストシグナリングにおいてシステム情報メッセージを送信する段階を更に備える。
【０１１０】
例４６は、例４５の方法を含み、ブロードキャストシグナリングは、システム情報ブロックを含む。
【０１１１】
例４７は、実行されると、デバイスに、例２４〜４６のいずれかの方法を実行させる複数の命令を有する１または複数のコンピュータ可読媒体を含む。
【０１１２】
例４８は、例２４〜４６のいずれかの方法を実行するように構成された手段を有する装置を含む。
【０１１３】
要約書に説明されるものを含めて、図示される複数の実装の本明細書における説明は、網羅であることを意図せず、または開示される厳密な形態に本開示を限定することを意図するものではない。具体的な複数の実装および例が、本明細書において例示的目的のために説明されているが、当業者であれば理解するように、本開示の範囲内で様々な均等な改変が可能である。これらの修正は、上記の詳細な説明に照らして本開示に対して行われ得る。
【図１】
0006362279.tif 000003
【図２】
0006362279.tif 000004
【図３】
0006362279.tif 000005
【図４】
0006362279.tif 000006
【図５】
0006362279.tif 000007